(57)【要約】【課題】本発明は、散水される殺菌水の流量を変化させることが可能で、状況に応じて散水範囲や散水箇所を変化させることが可能な浴室殺菌システムを提供する。【解決手段】殺菌水を生成するための殺菌水生成装置と、前記殺菌水生成装置で生成された殺菌水を浴室内に散布するための殺菌水散水部と、前記殺菌水散水部からの吐水および止水を切替える切替え弁と、前記殺菌水散水部から散水される殺菌水の流量を変更可能な流量可変手段と、前記殺菌水生成装置と前記切り替え弁と前記流量可変手段とを制御するための制御装置とを備えたことを特徴とする。【選択図】図１
2009225884.tif 000002
【特許請求の範囲】
【請求項１】
殺菌水を生成するための殺菌水生成装置と、
前記殺菌水生成装置で生成された殺菌水を浴室内に散布するための殺菌水散水部と、
前記殺菌水散水部からの吐水および止水を切替える切替え弁と、
前記殺菌水散水部から散水される殺菌水の流量を変更可能な流量可変手段と、
前記殺菌水生成装置と前記切り替え弁と前記流量可変手段とを制御するための制御装置と、を備えたことを特徴とする浴室殺菌システム。
【請求項２】
前記制御装置は、前記流量可変手段によって流量を変化させながら散水することで、洗い場の全面に殺菌水を散水することを特徴とする請求項１記載の浴室殺菌システム。
【請求項３】
前記流量可変手段によって、散水開始時は小流量で殺菌水を散水し、その後、大流量で殺菌水を散水することを特徴とする請求項１または２記載の浴室殺菌システム。
【請求項４】
洗剤が含有した洗浄水を生成するための洗浄水生成装置と、
前記洗浄水生成装置で生成された洗浄水を浴室内に散布するための洗浄水散水部と、
前記洗浄水散水部からの吐水および止水を切替える切替え弁と、
前記洗浄水散水部から散水される洗浄水の流量を変更可能な流量可変手段と、
前記洗浄水生成装置と前記切り替え弁と前記流量可変手段とを制御するための制御装置と、を備えたことを特徴とする浴室洗浄システム。
【請求項５】
前記制御装置は、前記流量可変手段によって流量を変化させながら散水することで、洗い場の全面に洗浄水を散水することを特徴とする請求項４記載の浴室洗浄システム。
【請求項６】
前記流量可変手段によって、散水開始時は小流量で洗浄水を散水し、その後、大流量で洗浄水を散水することを特徴とする請求項４または５記載の浴室洗浄システム。
【発明の詳細な説明】
【技術分野】
【０００１】
本発明は、浴室内に洗浄水または殺菌水を散水し、浴室内を洗浄または殺菌水する浴室洗浄ユニットに関する。
【背景技術】
【０００２】
浴室内の汚れには、人体の洗浄に使用された石鹸やシャンプーなどのカス、人体から発生した垢（タンパク質系、炭水化物系、油脂系、塩類等）などがあり、使用者は頻繁に掃除を行う必要がある。
【０００３】
このような汚れを自動で掃除するために、洗剤を含有した洗浄水や、殺菌成分が添加された殺菌水を浴室内に自動で散水する浴室装置が提案されている（特許文献１、特許文献２参照）。しかしながら、特許文献１や特許文献２に開示されている浴室装置では、一定流量で洗浄水または殺菌水を散水しているため、限定された場所のみに繰り返し殺菌水や洗浄水がかかる単一な散水であり、状況に応じて散水範囲や散水箇所を変化させることができなかった。
【特許文献１】特開平９−２２０２７３号公報
【特許文献２】特許３３３９３５１号公報
【発明の開示】
【発明が解決しようとする課題】
【０００４】
本発明は、散水される殺菌水の流量を変化させることが可能で、状況に応じて散水範囲や散水箇所を変化させることが可能な浴室殺菌システムを提供することを目的とする。また、散水される洗浄水の流量を変化させることが可能で、状況に応じて散水範囲や散水箇所を変化させることが可能な浴室洗浄システムを提供することを目的とする。
【課題を解決するための手段】
【０００５】
本発明の一態様によれば、殺菌水を生成するための殺菌水生成装置と、前記殺菌水生成装置で生成された殺菌水を浴室内に散布するための殺菌水散水部と、前記殺菌水散水部からの吐水および止水を切替える切替え弁と、前記殺菌水散水部から散水される殺菌水の流量を変更可能な流量可変手段と、前記殺菌水生成装置と前記切り替え弁と前記流量可変手段とを制御するための制御装置と、を備えたことを特徴とする浴室殺菌システムが提供される。
また、本発明の一態様によれば、洗剤が含有した洗浄水を生成するための洗浄水生成装置と、前記洗浄水生成装置で生成された洗浄水を浴室内に散布するための洗浄水散水部と、前記洗浄水散水部からの吐水および止水を切替える切替え弁と、前記洗浄水散水部から散水される洗浄水の流量を変更可能な流量可変手段と、前記洗浄水生成装置と前記切り替え弁と前記流量可変手段とを制御するための制御装置と、を備えたことを特徴とする浴室洗浄システムが提供される。
【発明の効果】
【０００６】
本発明によれば、散水される殺菌水の流量を変化させることが可能で、状況に応じて散水範囲や散水箇所を変化させることが可能な浴室殺菌システムを提供することができる。また、散水される洗浄水の流量を変化させることが可能で、状況に応じて散水範囲や散水箇所を変化させることが可能な浴室洗浄システムを提供することができる。
【発明を実施するための最良の形態】
【０００７】
本発明に係る浴室殺菌ユニットの一実施形態について、添付図面を参照して説明する。図１は、本実施形態に係る浴室殺菌システムの全体的な概要を示すものである。
【０００８】
この浴室殺菌システムは、浴槽２と、浴槽２の長辺側に隣接する洗い場床３と、浴槽２側から洗い場床３を隔てて浴槽２に対向する第１の壁面４へ横設された浴室カウンタ５と、浴室殺菌装置１Ａとから構成される。洗い場床３は、排水口７内に向かって排水用の下り勾配が取られている。ここで、浴室カウンタ５は、第二の壁面４２に取り付けられており、浴槽２のリム２ａより低い位置に配置されている。浴室カウンタ５に対向する第三の壁面３６もしくは、第一の壁面４のいずれかに人が浴室内に出入りする出入口用の浴室ドア３７が設けられる。
【０００９】
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップが取設される排水口７が設けられ、排水口７上面には、洗い場床上の水が排水口７内に流入可能な程度の隙間を空けて排水蓋８が載置される。
【００１０】
浴室殺菌装置１Ａは、制御ボックス（制御装置）１０と、機能ユニット（殺菌水生成装置）１１と、殺菌水吐水部に該当する殺菌水散水部１２と、リモコン１３とを備える。
【００１１】
制御ボックス１０は、浴室の天井裏に設置され、リモコン１３からの指示により、機能ユニット１１内の後述する電磁弁及び電解槽を制御する。機能ユニット１１は、殺菌水を生成するユニットであり、浴室カウンタ内に内蔵され、その先端には殺菌水を散布する殺菌水散水部１２が接続される。
【００１２】
リモコン１３は、浴室前の更衣室等の壁面に設置され、スイッチ１３ａとＬＥＤ１３ｂとを備える。スイッチ１３ａをＯＮにすると、浴室殺菌装置１Ａが作動を開始するとともに、ＬＥＤ１３ｂが点灯し、浴室殺菌装置１Ａが作動中であることを表示する。
【００１３】
浴室カウンタ５内部には、図２に示すように、洗い場水栓（吐水部）に給水／給湯する給水管１５及び給湯管１６が配管される。このうち給水管１５は、分岐されて、機能ユニット１１に水を供給する水道水導入管１７が接続される。
【００１４】
この水道水導入管１７の途中には止水栓１８が設けられ、この止水栓１８を閉めることにより、機能ユニット１１を取り外す際にも、浴室の通常の使用に支障を来さないようになっている。
【００１５】
水道水導入管１７により導入された水は、機能ユニット１１内において殺菌水に変成され、殺菌水導出管１９Ａを経由して散水部１２へと送られる。
【００１６】
機能ユニット１１は、図３（ａ）に示すように、ケース２０内に、水道水導入管１７に接続する流入口２１を介して順に、電磁弁２２、流調弁２３、大気開放弁２４、逆止弁２５、及び電解槽２６が連通され、電解槽２６は、流出口２７を介して殺菌水導出管に接続される。ここで、流入口および流出口は浴室カウンターの前端部側に配置されるように取設されており、流入口と流出口の軸はそれぞれ対角位置に配置されている。電解槽を介して流入口と流出口を連通するための管路部は、流入口から浴室カウンターの後端部側に直進する往路部と、流出口から浴室カウンターの後端部側に直進する復路部と、往路部および復路部の浴室カウンター後端部側の端部を連通するためにＵ字状に屈曲すると共に、復路部が往路部に比べて高い位置に配置されるように取り付けられる屈曲部と、を有している。
【００１７】
機能ユニット１１は、ケース２０内にウレタン樹脂２８が充填されて、防水構造とされている。これにより、電気部品の端子部の防水と、通水部からの漏水が防止される。
また、図３（ｂ）に示すように、機能ユニット１１の大きさを最小とすべく、流入ロ２１と流出口２７の軸が、ケース２０の対角に位置するように配設される。
【００１８】
リモコン１３のスイッチ１３ａが押されると、制御ボックス１０からの指示により電磁弁２２が開く。そして、電磁弁２２が開くことにより通水され、流調弁２３により流量が可変される。散水される殺菌水の流量が変化することを繰り返すことで、状況に応じて散水範囲や散水箇所を変化させることができるようになる。例えば殺菌水吐水開始時は低流量、所定時間後から大流量に変化させる。これにより、殺菌水の吐水開始時に、殺菌水が人にかかるリスク、ドアから外にでるリスクを低減することができる。殺菌水の吐水を低流量で始めれば、万が一、浴室内に人がいても、殺菌水を大量にかかる前に、気付いて浴室外に出ることができる。また、万が一、ドアが開いていても、低流量であるため、外に殺菌水が飛び出る前に、ドアを閉めることができる。
【００１９】
通水状態になると、電解槽２６の電極２９に通電が開始され、電極２９の電気分解が行われて銀イオンが発生する。銀イオンを含有する水は殺菌水として散水部１２へ送られる。こうして生成された殺菌水は、逆止弁２５により給水管１５へと逆流することが防止される。電解槽２６へ通電する電流は、流調弁２３に応じて可変するのが好ましい。例えば流調弁が小流量Ｑ１（Ｌ／ｍｉｎ）と大流量Ｑ２（Ｌ／ｍｉｎ）の２つに可変可能なものであれば、電解槽２６の電解電流も、流量比に応じて可変する。大流量の時の電流をＩ２（ｍＡ）とすると、低流量時Ｉ１はＩ１＝Ｉ２×Ｑ１／Ｑ２の電流をかけるようにする。このようにすることで、散水される殺菌水の濃度を一定にすることができる。
【００２０】
大気開放弁２４は、通電時（電磁弁開）においては閉止状態になって、水が外部に漏出することが防止され、待機時（電磁弁閉）には開放状態になって、逆止弁２５より下流側は空気と置換される。これにより、電解槽２６内に残存水が残ることが防止される。
【００２１】
電解槽２６の電極２９は、銀、銀合金または銀メッキ金属により形成され、電極２９の電気分解が行われると銀イオンが発生する。この電極２９は、図４（ａ）に示すように、電極２９同士が水平になるような位置関係で設置されている。これにより、図４（ｂ）に示すように、待機時に残存水の表面張力による電極の導通状態が回避される。このようにすることで、電解槽をコンパクト（厚みを薄く）にしても、待機時に残存水の表面張力によって電極が導通状態になることを回避できる。
【００２２】
図５は、本実施形態に係る浴室洗浄システムの全体的な概要を示すものである。
この浴室洗浄システムは、浴槽２と、浴槽２の長辺側に隣接する洗い場床３と、浴槽２側から洗い場床３を隔てて浴槽２に対向する第１の壁面４へ横設された浴室カウンタ５と、浴室洗浄装置１Ｂとから構成される。洗い場床３は、排水口７内に向かって排水用の下り勾配が取られている。ここで、浴室カウンタ５は、第二の壁面４２に取り付けられており、浴槽２のリム２ａより低い位置に配置されている。浴室カウンタ５に対向する第三の壁面３６もしくは、第一の壁面４のいずれかに人が浴室内に出入りする出入口用の浴室ドア３７が設けられる。
【００２３】
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップが取設される排水口７が設けられ、排水口７上面には、洗い場床上の水が排水口７内に流入可能な程度の隙間を空けて排水蓋８が載置される。
【００２４】
浴室洗浄装置１Ｂは、制御ボックス（制御装置）１０と、機能ユニット（洗浄水生成装置）１１と、洗浄水吐水部に該当する洗浄水散水部１２と、リモコン１３とを備える。
【００２５】
制御ボックス１０は、浴室の天井裏に設置され、リモコン１３からの指示により、機能ユニット１１内の後述する電磁弁及び洗剤補給ポンプを制御する。機能ユニット１１は、洗剤を含む洗浄水を生成するユニットであり、浴室カウンタ内に内蔵され、洗剤を補給する洗剤補給口８１と、洗剤を含む洗浄液を散布する散水部１２が接続される。洗剤補給口８１は浴室カウンタの上面に開口して配置される。
【００２６】
リモコン１３は、浴室前の更衣室等の壁面に設置され、スイッチ１３ａとＬＥＤ１３ｂ
と洗剤補給ＬＥＤ１３ｄとを備える。スイッチ１３ａをＯＮにすると、浴室洗浄装置１Ｂが作動を開始するとともに、ＬＥＤ１３ｂが点灯し、浴室洗浄装置１Ｂが作動中であることを表示する。また洗剤タンク８０内の洗剤が所定量より少なくなると洗剤補給ＬＥＤ１３ｄが点灯する。
【００２７】
浴室カウンタ５内部は、図２と同様であり、洗い場水栓（吐水部）に給水／給湯する給水管１５及び給湯管１６が配管される。このうち給水管１５は、分岐されて、機能ユニット１１に水を供給する水道水導入管１７が接続される。
【００２８】
この水道水導入管１７の途中には止水栓１８が設けられ、この止水栓１８を閉めることにより、機能ユニット１１を取り外す際にも、浴室の通常の使用に支障を来さないようになっている。
【００２９】
水道水導入管１７により導入された水は、機能ユニット１１内において洗剤を含む水に変成され、洗剤水導出管１９Ｂを経由して散水部１２へと送られる。
【００３０】
機能ユニット１１は図６に示すように、給水管１５が分岐して、一方は洗い場水栓７７へ、もう一方は機能部に入水する。電磁弁２２の開によって水道水は、流調弁２３、逆止弁２４、大気開放弁２５を通過し、洗剤ポンプ８２の駆動により洗剤タンク８０から洗剤が水道水に混入される。洗剤は洗剤補給口８１から洗剤タンク８０内に補給され、フロートＳＷにより洗剤量の検知を行う。
【００３１】
リモコン１３のスイッチ１３ａが押されると、制御ボックス１０からの指示により電磁弁２２が開く。そして、電磁弁２２が開くことにより通水され、流調弁２３により流量が可変される。散水される洗浄水の流量が変化することにより、状況に応じて散水範囲や散水箇所を変化させることができるようになる。例えば洗剤水吐水開始時は低流量、所定時間後から大流量に変化させる。これにより、洗剤水の吐水開始時に、洗剤水が人にかかるリスク、ドアから外にでるリスクを低減することができる。洗剤水の吐水を低流量で始めれば、万が一、浴室内に人がいても、洗剤水を大量にかかる前に、気付いて浴室外に出ることができる。また、万が一、ドアが開いていても、低流量であるため、外に洗剤水が飛び出る前に、ドアを閉めることができる。
【００３２】
通水状態になると、洗剤ポンプ８２の作動が開始され、洗剤の水道水への混入が行われ、洗剤を含有する水は洗浄水として散水部へ送られる。こうして生成された洗浄水は、逆止弁２４により給水管１５へと逆流することが防止される。
【００３３】
大気開放弁２５は、通電時（電磁弁開）においては閉止状態になって、水が外部に漏出することが防止され、待機時（電磁弁閉）には開放状態になって、逆止弁２４より下流側は空気と置換される。これにより、洗剤含有水や殺菌水の逆流防止の安全性が、逆止弁２４の作用とともに高まる。また電解槽２６内に残存水が残ることが防止される。
【００３４】
流調弁２３は、配管に接続される弁本体８４と、この弁本体８４の内部中央に回転自在に組み込まれた球状の弁体８５と、この弁体８５を略９０°の角度範囲内で水平方向に回転させる回転手段としての弁軸８６等で構成されている。弁本体８４の管内は、水道水が流入する一次側（上流側）流水路８８と、前記弁体８５が組み込まれるボールキャビティ８９と、二次側（下流側）流水路９０を形成している。前記弁軸８６は、前記ボールキャビティ８９の真上からＯリングを介して回転自在に挿通され、シール部材によって水密に封止されている。弁体８５を略９０°の角度範囲内で回転させる弁軸８６は電動アクチュエータ８７に接続され、制御ボックス１０からの指示により電動アクチュエータ８７が駆動する。
【００３５】
前記弁体８５は、一次側開口部９１、一次側開口部９２と、二次側開口部９３、二次側開口部９４の４つの開口部を有している（図７ｃ）。一次側開口部９１と一次側開口部９２は、どちらも一次側（上流側）流水路８８の穴径と同一で、水道水の流入側開口部を形成する。一方、他方の二次側開口部は、水道水の流出側開口部で、流調弁２３の流量特性を決定する。二次側開口部９３は、二次側（下流側）流水路９０の穴径と同一であり、大流量吐水用の開口部であり、二次側開口部９４は、前記二次側開口部９３より開口面積が小さく、少流量吐水用の開口部となる。
【００３６】
図７（ａ−１）は大流量を吐水する場合の流調弁２３の内部断面図であり、（ａ−２）はその時の流路構成を表す平面図である。図７（ｂ−１）は小流量を吐水する場合の流調弁２３の内部断面図であり、（ｂ−２）はその時の流路構成を表す平面図である。大流量吐水の場合は、一次側開口部９１と二次側開口部９３が連通される。小流量吐水の場合は、一次側開口部９２と二次側開口部９４が連通される。
【００３７】
散水部１２は、浴室殺菌システム、浴室洗浄システムとも同様となる。図８に示すように、大別して、殺菌水導出管１９Ａまたは洗剤水導出管１９Ｂに接続されるボディ３０と、その先端に軸支される回転体３１とから構成される。回転体３１はまた、上側部材３２と下側部材３３とに分割され、ワッシャ３４を介して、固定ビス３５により、ボディ３１の先端に回転自在に取設される（図１０参照。）。回転体３１はこのように取り外し可能かつ分解可能に形成されているので、その内部及びボディ３０の先端を清掃することができる。
【００３８】
回転体３１（の下側部材３３）には、図９（ａ）に示すように、４対８個の液体噴出孔３３ａ，３３ｂ，３３ｃ，３３ｄが設けられる。これらの液体噴出孔３３ａ，３３ｂ，３３ｃ，３３ｄは、回転体３１の回転中心から同一方向へ同一距離偏心して設けられるので、通水状態になると、水流により回転し、洗い場床３ヘ殺菌水を万遍なく散布することができる。
【００３９】
これらのうち、液体噴出孔３３ａは、図９（ｂ）に示すように、水平に開口するものの、液体噴出孔３３ｂは、図９（ｃ）に示すように、仰角４°に開口する。また、液体噴出孔３３ｃは、図９（ｄ）に示すように、仰角８°に、液体噴出孔３３ｄは、図９（ｄ）に示すように、仰角１２°にそれぞれ開口する。
【００４０】
これにより、洗い場床３の散水部近傍から遠方まで、万遍なく散布することができる。なお、各液体噴出孔の仰角は、散布する洗い場床の広さに応じて適宜決定される。
ところで、ボディ３０の先端は、図１０に示すように、直径Ｄ１に形成された軸先端３０ａのさらに先に直径Ｄ２の最先端３０ｂが段落ちして形成される。これに対応して、上側部材３２には、軸先端３０ａが挿通可能な直径Ｄ１’の挿通孔３２ａが形成され、下側部材３３には、最先端３０ｂが挿通可能なものの軸先端３０ａは挿通不能な直径Ｄ２’’の挿通孔３３ｅが形成される。
【００４１】
これにより、回転体３１を分解した後、誤って上側部材３２と下側部材３３とを上下逆に取り付けることが防止されるので、液体噴出孔３３ｂ，３３ｃ，３３ｄは仰角を確保でき、常に上方を指向して開口する。
【００４２】
本実施の形態に係る浴室殺菌システムおよび浴室洗浄システムは上記のように構成されており、以下その殺菌水または洗剤水の散布状態について説明する。図１１は、散布状態を示す平面図であり、図１２は同立面図である。
【００４３】
図１１に示すＧのエリアは、主に仰角０°の液体噴出孔３３ａからの殺菌水が散布されるエリアであり、同Ｈのエリアは、主に仰角４°の液体噴出孔３３ｂからの殺菌水が散布されるエリア、同じく、Ｉ及びＪのエリアは、それぞれ主に仰角８°及び１２°の液体噴出孔３３ｃ及び３３ｄからの殺菌水が散布されるエリアである。このように、液体噴出口３３ａ，３３ｂ，３３ｃ，３３ｄの仰角を異ならせることにより広範囲に亘って殺菌水を散布することが可能となる。
【００４４】
これに対し、図１１に示すＦのエリアには、殺菌水は直接散布されない。このエリアには、図１２に示すように、散水部１２より奥側で浴室カウンタが取設される第二の壁面４２、第二の壁面近傍側の第一の壁面４、または第二の壁面近傍側のバスエプロン６に当たり跳ね返った水、及び跳ね返った後そこから洗い場床３の勾配に沿って流れ下る殺菌水により洗浄される。このように、散水部１２が回転して吐水する形態であるため、散水部から離れたエリアＧ，Ｈ，Ｉ，Ｊエリア用の液体噴出孔を設けておけば、必然的に散水部１２近傍の洗い場床上は、大量の殺菌水が流れることになる。これにより、洗い場床上全面に殺菌水を行き渡らせることが可能となる。特に、水道圧力のみで、散水部１２遠方側まで殺菌水を散布するためには、液体噴出孔の総孔面積に限界があるが、本実施形態では、散水部から離れたエリアＧ，Ｈ，Ｉ，Ｊエリア用の液体噴出孔のみで足りるため、水道水圧のみで洗い場床の全面に殺菌水を行き渡らせることができる。
【００４５】
この点、散水部１２は、浴槽２と洗い場床３を隔てて対向する壁面４近傍、すなわち、排水口７と対角位置となるに水上に取設されるので、散水部近傍においても殺菌水が廻らないエリアはない。
【００４６】
また、散水部１２は、浴室カウンタ５下部に取設されるので、浴室カウンタ５下部が陰になって、殺菌水が廻らないということもない。
【００４７】
他方、液体噴出口３３ｄの仰角は一定以下に抑えられるので、無闇に広いエリアに散布することはなく、経済的であるばかりでなく、図１２に示すように、殺菌水は最高位置でも浴槽２のリム２ａの高さを超えないので、風呂蓋に殺菌水がかかることもない。
【００４８】
さらに、殺菌水は、バスエプロン６に向かっても散布されるので、図１３に示すように、排水口７上の排水蓋８とバスエプロン６との間にできる隙間には、バスエプロン６に当たって流れ落ちる殺菌水によって洗浄される。このように、洗い場床３を流れ落ちる殺菌水だけでは網羅できないエリア（排水口におけるバスエプロン６側の端辺であって、特にその中央付近は洗い場床上を流れた殺菌水が流れにくい。）も洗浄することができる。
【００４９】
浴室洗浄システムにおいては、洗剤を含む水を散布した後、洗剤を洗うすすぎ工程を入れるのが望ましい。すすぎ工程は、電磁弁２２を開け、洗剤ポンプ８２を止めて行う。
【００５０】
散水部１２は、広範囲に洗浄水を散布する固定ノズルでも構わない。図１４に示すような固定ノズル７３の吐水口７４から、洗い場床３に向けて殺菌水を吐水する。図１５に示すように排水ピット７と反対側の壁付近に洗浄水を吐水すれば、洗い場床３が有する排水口に向かう傾斜を利用して洗浄水を流せるため、ほぼ全面の洗い場床３に洗浄水を接触させることが可能となる。この際、吐水を大流量と小流量で切り替えれば、殺菌水の到達エリアが変わるため、より広範囲に殺菌水を吐水することが可能となる。
【００５１】
図１６は本発明に関わる浴室殺菌システムおよび浴室洗浄システムのフローチャートの実施例を表す。両システムとも、制御ステップは同様であり、浴室殺菌システムの場合について記載する。
浴室殺菌ＳＷがＯＮされると、流調弁２３の弁体８５が、一次側開口部９２と二次側開口部９４が連通される位置にセットされ、小流量吐水から開始される。電磁弁２２が開いて、電解槽２６へ通電し、殺菌水生成装置の運転開始と同時に、タイマーを作動させ、タイマーが所定時間Ｔ０をカウントしたら、電解槽２６への通電を止め、電磁弁を閉じる。次に、流調弁２３の弁体８５が、一次側開口部９１と二次側開口部９３が連通される位置にセットされ、電磁弁２２が再度開いて、電解槽２６へ通電し、大流量の殺菌水吐水を行う。殺菌水生成装置の運転再開と同時に、タイマーを作動させ、タイマーが所定時間Ｔ１をカウントしたら、電解槽２６への通電を止め、電磁弁を閉じて、殺菌水生成装置の運転を終了する。大流量で殺菌水を吐水する所定時間Ｔ１は、洗い場全面に万遍なく吐水し、排水トラップ内の水をほぼ完全に殺菌水に置換する時間Ｔ１に設定する。また、電磁弁２２を閉じずに、流調弁２３の流量調整を行っても良い。尚、本実施例では、小流量吐水の後に大流量吐水することで運転を終了させているが、これを何度か繰り返し行うようにしても良い。このようにすることで、満遍なく、洗い場全体に殺菌水を直接吐水することが可能となる。
【００５２】
本実施例における好ましい殺菌水としては、銀イオン水を挙げることができる。銀イオンは、細菌の細胞膜にある酵素に吸着し、酵素の作用を阻害するため、細菌が生命維持できなくなると言われている。接触する基材表面をコートする作用もあり、細菌が基材表面で繁殖しにくくなる。反応性の良い殺菌剤では、殺菌剤は瞬時に反応してしまい、抗菌力の持続性という点では課題があった。その点、銀イオンは基材表面をコートして、細菌の付着を防ぐことができ、かつ殺菌力を有しているため、基材表面での細菌の増殖を効果的に抑制でき、洗い場床と排水口のヌメリ、ニオイを抑制することが可能となる。
【００５３】
もちろん、銀イオン以外の殺菌性物質又はイオンを含有する水を使用不可として排除するものではない。具体的には、遊離塩素、抗菌性金属（例えば、銅、亜鉛等）又はそのイオン、オゾン、オゾン含有水、結合塩素、有機塩素系消毒液、有機リン酸系消毒液、ベルオクソ炭酸イオン又はその塩、アルコール系消毒液なども使用を想定することは可能である。また、洗い場のみの殺菌や洗浄に限られず、浴室全体の殺菌や洗浄についても、本発明に含まれる。
【００５４】
尚、上述した本実施形態による浴室殺菌システムおよび浴室洗浄システムによれば、以下の効果が得られる。
散水される殺菌水の流量を変化させることが可能で、状況に応じて散水範囲や散水箇所を変化させることが可能な浴室殺菌システムを提供することができる。また、散水される洗浄水の流量を変化させることが可能で、状況に応じて散水範囲や散水箇所を変化させることが可能な浴室洗浄システムを提供することができる。
【図面の簡単な説明】
【００５５】
【図１】本発明に係る浴室殺菌システムの一実施形態の全体概要を示す図。
【図２】浴室カウンタ裏面に取設された機能部を示す図で、（ａ）は平面図、（ｂ）は正面図、（ｃ）は側面図。
【図３】浴室殺菌システムの機能部の詳細を示す図で、（ａ）は正面図、（ｂ）は側面図。
【図４】銀電極の配置を模式的に説明する図。
【図５】本発明に係る浴室洗浄システムの一実施形態の全体概要を示す図。
【図６】浴室洗浄システムの機能部の詳細を示す図。
【図７】流調弁の構成を示す図。
【図８】散水部の構成を示す図。
【図９】散水部の回転体を示す図で、（ａ）は平面図、（ｂ）はＢ−Ｂ断面図、（ｃ）はＣ−Ｃ断面図、（ｄ）はＤ−Ｄ断面図、（ｅ）はＥ−Ｅ断面図。
【図１０】散水部の分解断面図。
【図１１】殺菌水の散布状態を示す平面図。
【図１２】殺菌水の散布状態を示す立面図。
【図１３】排水口廻りにおける殺菌水の散布状態を示す斜視図。
【図１４】散布部１２が固定ノズルを示す図。
【図１５】散布部１２が固定ノズルの場合の散布状態を示す平面図。
【図１６】浴室殺菌システムの作動フローチャートの実施例。
【符号の説明】
【００５６】
１Ａ  浴室殺菌装置
１Ｂ  浴室洗浄装置
２  浴槽
２ａ  リム
３  洗い場床
４  第一の壁面
５  浴室カウンタ
６  バスエプロン
７  排水口
８  排水蓋
１０  制御ボックス
１１  機能ユニット
１２  散水部
１３  リモコン
１３ａ  スイッチ
１３ｂ  ＬＥＤ
１３ｄ  洗剤補給ＬＥＤ
１５  給水管
１６  給湯管
１７  水道水導入管
１８  止水栓
１９Ａ  殺菌水導出管
１９Ｂ  洗剤水導出管
２０  ケース
２１  流入口
２２  電磁弁
２３  流調弁
２４  大気開放弁
２５  逆止弁
２６  電解槽
２７  流出口
２８  ウレタン樹脂
２９  電極
３０  ボディ
３０ａ  軸先端
３０ｂ  最先端
３１  回転体
３２  上側部材
３２ａ  ３３ｅ  挿通孔
３３ａ，３３ｂ，３３ｃ，３３ｄ  液体噴出孔３３  下側部材
３４  ワッシャ
３５  固定ビス
３６  第三の壁面
３７  浴室ドア
４２  第二の壁面
７３  固定ノズル
７４  吐水口
７７  洗い場水栓
８０  洗剤タンク
８１  洗剤補給口
８２  洗剤ポンプ
８４  弁本体
８５  弁体
８６  弁軸
８７  電動アクチュエータ
８８  一次側（上流側）流水路
８９  ボールキャビティ８９
９０  二次側（下流側）流水路
９１  一次側開口部
９２  一次側開口部
９３  二次側開口部
９４  二次側開口部
【図１】
2009225884.tif 000003
【図２】
2009225884.tif 000004
【図３】
2009225884.tif 000005
【図４】
2009225884.tif 000006
【図５】
2009225884.tif 000007
【図６】
2009225884.tif 000008
【図７】
2009225884.tif 000009
【図８】
2009225884.tif 000010
【図９】
2009225884.tif 000011
【図１０】
2009225884.tif 000012
【図１１】
2009225884.tif 000013
【図１２】
2009225884.tif 000014
【図１３】
2009225884.tif 000015
【図１４】
2009225884.tif 000016
【図１５】
2009225884.tif 000017
【図１６】
2009225884.tif 000018